(57)【要約】【課題】映像記録再生装置の使い勝手を向上させる。【解決手段】映像記録再生装置１は、入力される映像データを記録し及び記録された映像データを消去しあるいは上書き可能に設定するとともに、記録された映像データをプログラム毎に再生する記録再生部６と、記録再生部６による映像データの再生がプログラムの途中で停止した場合、当該プログラムの映像データの再生割合に基づいて当該プログラムが視聴済みであるか否かを判別する視聴判別部７とを備える。視聴判別部７が記録再生部６に記録されているプログラムが視聴済みであると判別した場合に、記録再生部６は、当該プログラムの映像データを消去し若しくは上書き可能に設定する。【選択図】図１
2005312006.tif 000002
【特許請求の範囲】
【請求項１】
入力される映像データを記録し及び記録された映像データを消去しあるいは上書き可能に設定するとともに、記録された映像データをプログラム毎に再生する記録再生部と、
前記記録再生部による映像データの再生がプログラムの途中で停止した場合、当該プログラムの映像データの再生割合に基づいて当該プログラムが視聴済みであるか否かを判別する視聴判別部とを備え、
前記視聴判別部が前記記録再生部に記録されているプログラムが視聴済みであると判別した場合に、前記記録再生部は、当該プログラムの映像データを消去し若しくは上書き可能に設定すること
を特徴とする映像記録再生装置。
【請求項２】
請求項１に記載の映像記録再生装置であって、
放送信号を受信する受信部をさらに備え、
前記記録再生部に記録された映像データが前記受信部が受信した放送信号として入力され、かつ、当該プログラムの再生割合が所定の割合以上である場合に、前記視聴判別部は当該プログラムが視聴済みであると判別すること
を特徴とする映像記録再生装置。
【請求項３】
請求項２に記載の映像記録再生装置であって、
前記所定の再生割合は８０％であること
を特徴とする映像記録再生装置。
【請求項４】
請求項２に記載の映像記録再生装置であって、
前記所定の再生割合の設定指示を受け付ける操作部をさらに有すること
を特徴とする映像記録再生装置。
【請求項５】
請求項１乃至４のいずれか一項に記載の映像記録再生装置であって、
外部の記録媒体に記録された映像データが入力される入力部を備え、
前記記録再生部に記録された映像データが前記入力部から入力され、かつ、当該プログラムのすべてが再生されている場合に、前記視聴判別部は当該プログラムが視聴済みであると判別すること
を特徴とする映像記録再生装置。
【請求項６】
請求項５に記載の映像記録再生装置であって、
前記記録再生部に記録される映像データの入力信号を切り替える切換部を備え、
前記記録再生部は、消去され若しくは上書き可能に設定されている、記録された映像データ上に、前記切換部が切り換えた入力信号を上書き記録すること
を特徴とする映像記録再生装置。
【請求項７】
請求項１乃至６のいずれか一項に記載の映像記録再生装置であって、
前記記録再生部に記録された映像データをダビング記録するダビング用記録部をさらに備えること
を特徴とする映像記録再生装置。
【請求項８】
入力される映像データを記録し、当該記録された映像データをプログラム毎に再生し、
前記再生における映像データの再生がプログラムの途中で停止した場合、当該プログラムの映像データの再生割合に基づいて当該プログラムが視聴済みであるか否かを判別し、
前記判別が記録されているプログラムが視聴済みであると判別した場合に、当該プログラムの映像データを消去し若しくは上書き可能に設定すること
を特徴とする映像記録再生方法。
【請求項９】
請求項８に記載の映像記録再生方法であって、
記録された映像データが放送信号として入力され、かつ、当該プログラムの再生割合が所定の割合以上である場合に、当該プログラムが視聴済みであると判別すること
を特徴とする映像記録再生方法。
【請求項１０】
請求項９に記載の映像記録再生方法であって、
前記所定の再生割合は８０％であること
を特徴とする映像記録再生方法。
【請求項１１】
請求項９に記載の映像記録再生方法であって、
前記所定の再生割合の設定指示を受け付けること
を特徴とする映像記録再生方法。
【請求項１２】
請求項８乃至１１のいずれか一項に記載の映像記録再生方法であって、
外部の記録媒体に記録された映像データが入力され、かつ、当該プログラムのすべてが再生されている場合に、前記判別は当該プログラムが視聴済みであると判別すること
を特徴とする映像記録再生方法。
【請求項１３】
請求項１２に記載の映像記録再生方法であって、
記録される映像データの入力信号を切り替え、
消去され若しくは上書き可能に設定されている、記録された映像データ上に、切り換えた入力信号を上書き記録すること
を特徴とする映像記録再生方法。
【請求項１４】
請求項８乃至１３のいずれか一項に記載の映像記録再生方法であって、
記録された映像データをダビング記録すること
を特徴とする映像記録再生方法。
【発明の詳細な説明】
【技術分野】
【０００１】
本発明は、映像記録再生装置及び方法に関する。
【背景技術】
【０００２】
従来、放送番組（プログラム）などの映像データを記録および再生する映像記録再生装置では、ハードディスク（ＨＤＤ）などの記録媒体の記録容量が限られた容量であるため、再生済みのプログラムを消去するなどして記録領域の空きを確保することが、一般的に行われている。このため、記録したプログラムごとに、記録日時やタイトル、消去禁止（プロテクト機能）などの記録内容を管理し、その記録内容をメニュー画面に表示させ、消去すべきプログラムについてユーザからの指示を受け付けるようにしている。
【０００３】
また、記録中に記録容量が不足してくると、データ量がより少なくなるように記録品質を変化させて、そのプログラムをすべて記録できるように自動調整する機能をもっている映像記録再生装置が知られている。
【０００４】
また、予約などで毎週同じ曜日の同じ時間に同じプログラムを録画する場合、前回録画したプログラムの記録領域に対し上書きする（上書き予約）機能を備えているものもある。上書き予約を行う場合、録画済みのプログラムに上書するか、あるいは、別領域に記録をするかを、空き領域をチェックすることで自動判別している（特許文献１）。
【０００５】
また、録画済のプログラムごとに優先順位を付加し、ハードディスク等の記録領域が無くなった場合、優先順位の低いプログラムの記録領域に、新たなプログラムを上書きする機能を備えるものがある（特許文献２）。この機能により、例えば、再生済となったプログラムの優先順位をより低くすることにより、未だ視聴していないプログラムをハードディスクに残した状態で、既に視聴したプログラムのデータが記録されている記録領域に新たなプログラムのデータを上書きすることが可能となる。
【０００６】
また、記録されているプログラムが一定時間もしくは一定割合以上再生されたときに、再生したプログラムの映像データを消去してよいかどうかをユーザに問い合わせ、ユーザの指示に従って、映像データを消去もしくは保存する技術がある（特許文献３）。放送されるプログラムは、コマーシャルや予告編などの本編以外の映像データが本編終了後に録画されていることに着目し、本編終了後に、コマーシャル等を見ずに再生を終了したときにも、一定時間以上再生された場合には、そのプログラムを消去の対象とすることで、消去の操作の手間を簡略化している。
【０００７】
【特許文献１】特開２００３−１７９８３９号公報
【特許文献２】特開２００２−３０５７０６号公報
【特許文献３】特開２００３−２３５９０号公報
【発明の開示】
【発明が解決しようとする課題】
【０００８】
近年、記録媒体の容量増加に伴い、映像データの記録プログラム数もそれに比例して増加している。記録済みのプログラムの記録内容を表示させることは可能ではあるが、新たにプログラムを記録するときに記録媒体の容量が不足している場合、記録済みのプログラムの中から消去するプログラムを選択しなければならないこともある。特開２００３−２３５９０号公報に記載の技術のように、記録されているプログラムが一定時間もしくは一定割合以上再生されたときにプログラムを消去の対象とする場合、例えば本編のみが録画されていて、コマーシャルなどが含まれていないプログラムの場合に、一定時間再生後に途中で再生を中断したときにも消去の対象のプログラムとなってしまう。例えば、映画などのクライマックスシーンである後半部分で再生を一時的に停止したときに、消去の対象になってしまう。このため、ユーザにとっては不都合が生じる場合もある。
【０００９】
本発明は上記事情に鑑みてなされたものであり、本発明の目的は映像記録再生装置の使い勝手を向上させることにある。
【課題を解決するための手段】
【００１０】
上記課題を解決するために、本発明の第１の態様にかかる映像記録再生装置は、入力される映像データを記録し、及び記録された映像データを消去し、あるいは、上書き可能に設定する共に、記録された映像データをプログラム毎に再生する記録再生部と、前記記録再生部による映像データの再生がプログラムの途中で停止した場合、当該プログラムの映像データの再生割合に基づいて当該プログラムが視聴済みであるか否かを判別する視聴判別部とを備える。前記視聴判別部が前記記録再生部に記録されているプログラムが視聴済みであると判別した場合に、前記記録再生部は、当該プログラムの映像データを消去し、もしくは上書き可能に設定する。
【００１１】
また、本発明の第２の態様にかかる映像記録再生方法は、入力される映像データを記録し、当該記録された映像データをプログラム毎に再生し、前記再生における映像データの再生がプログラムの途中で停止した場合、当該プログラムの映像データの再生割合に基づいて当該プログラムが視聴済みであるか否かを判別し、前記判別が記録されているプログラムが視聴済みであると判別した場合に、当該プログラムの映像データを消去し若しくは上書き可能に設定する。
【発明の効果】
【００１２】
本発明によれば、映像記録再生装置の使い勝手が向上する。
【発明を実施するための最良の形態】
【００１３】
以下、本発明の実施の形態を図面に基づいて説明する。
【００１４】
<<第１実施形態>>
先ず、本発明の第１実施形態を説明する。
【００１５】
図１は本発明の第１実施形態が適用された映像記録再生装置の概略ブロック図である。
【００１６】
図示するように、本実施形態の映像記録再生装置１は、切換部２と、制御部３と、操作部５と、記録再生部６と、出力部８と、入力部２０３とを有する。
【００１７】
入力部２０３は、放送信号を受信する受信部２０１と、映像信号を入力する外部入力端子２０２とを有する。受信部２０１は、アンテナ９０１からテレビ放送信号を受信し、受信したテレビ放送信号を映像信号に変換する。そして、変換した映像信号を切換部２へ出力する。外部入力端子２０２は、映像信号を再生する一般的な再生装置からの映像信号を受信する。そして、受信した映像信号を切換部２へ出力する。
【００１８】
操作部５は、図示していないが、入力切換指示キー、再生開始指示キー、再生停止指示キー、記録開始指示キー、記録終了指示キー、設定指示キー、および、設定表示キーを少なくとも有する。
【００１９】
入力切換指示キーが操作されると、操作部５は入力部２０３の入力切り換えを指示する入力切換信号を制御部３に出力する。再生開始指示キーが操作されると、操作部５は放送番組、映像コンテンツなどのプログラムの再生を指示する再生開始指示信号を制御部３に出力する。再生停止指示キーが操作されると、操作部５は再生中のプログラムの再生停止を指示する再生停止指示信号を制御部３に出力する。記録開始指示キーが操作されると、操作部５はプログラムの記録開始を指示する記録開始指示信号を制御部３に出力する。記録終了指示キーが操作されると、操作部５はプログラムの記録停止を指示する記録停止指示信号を制御部３に出力する。設定指示キーが操作されると、操作部５は各種設定を指示する設定信号を制御部３に出力する。そして、設定表示キーが操作されると、操作部５は設定内容をモニタ９００に表示するための設定表示信号を制御部３に出力する。
【００２０】
また、操作部５は、ユーザによって予め登録された録画予約に従い、所望の放送番組や映像コンテンツを記録するために、記録開始指示信号、記録停止指示信号および入力切替信号を自動生成して、制御部３に出力する。
【００２１】
切換部２は、制御部３の制御に従い、受信部２０１から入力された映像信号および外部入力端子２０２から入力された映像信号のいずれか一方を選択し、選択した信号を制御部３へ出力する。
【００２２】
記録再生部６は、ハードディスクドライブ（Hard Disk Drive：ＨＤＤ）などの記録媒体６０３を有する。記録媒体６０３は、映像データが記録される映像記録部６０１と、放送番組、映像コンテンツなどの映像データのプログラム毎に各種設定内容が記録される設定記録部６０２とを有する。尚、設定記録部６０２は、記録媒体６０３にではなく、バッファメモリ等として別に設けられていてもよい。
【００２３】
記録再生部６は、制御部３の制御により、映像信号をＭＰＥＧ（Moving Picture Experts Group）方式等の映像データに符号化する。そして、プログラム毎に、符号化された映像データを、映像記録部６０１に記録する。また、映像記録部６０１に記録されたプログラムの映像データを復号化し、制御部３の制御により出力部８に出力する。
【００２４】
また、記録再生部６は、映像記録部６０１に記録されているプログラム毎に、映像データの設定内容を、設定記録部６０２に記録する。図２は設定記録部６０２に記録されている設定内容の一例を示す図である。図示するように、プログラムの映像データの設定内容を登録するレコードは、プログラムの識別番号（Ｐｒｏｇ）を登録するためのフィールド３０１と、記録した開始時刻を登録するためのフィールド３０２と、記録した曜日を登録するためのフィールド３０３と、記録時間を登録するためのフィールド３０４と、プログラムのタイトルを登録するためのフィールド３０５と、入力識別データを登録するためのフィールド３０６と、再生履歴データを登録するためのフィールド３０７と、上書き可否データを登録するためのフィールド３０８とを有する。
【００２５】
ここで、入力識別データとは、対応するプログラムの映像データが受信部２０１から入力された映像信号であるか、それとも、外部入力端子２０２から入力された映像信号であるかを示すデータである。再生履歴データとは、対応するプログラムの映像データが再生済み、未再生および途中まで再生済み（再生時間）のいずれの状態にあるかを示すデータである。上書き可否データとは、対応するプログラムの映像データに上書きしてよいか否か（「上書き可」、「上書き不可」）を示すデータである。その他に、録画した年月日データを登録するためのフィールドや、録画品質データを登録するためのフィールドをさらに設けてもよい。
【００２６】
出力部８は、制御部３から出力された映像信号をモニタ９００へ出力する。尚、切換部２と記録再生部６、および、記録再生部６と出力部８は、直接接続され、信号のやりとりをしてもよい。
【００２７】
制御部３は、映像記録再生装置１の動作を統括制御して、映像データ（プログラム）の記録媒体６０３への記録および再生を制御する。また、制御部３は、記録媒体６０３に記録されている映像データの視聴の有無を判別する視聴判別部７を有する。視聴判別部７は、切換部２が選択している映像信号を判別する入力信号判別部７１と、記録媒体６０３に記録されている映像データの再生状態（再生済み、未再生および途中まで再生済み（再生時間）のいずれか）を判別する再生割合判別部７２とを有する。
【００２８】
図３は本発明の第１実施形態が適用された映像記録再生装置１の動作フローを説明するための図である。
【００２９】
制御部３は、操作部５からプログラムの指定を伴わない記録開始指示信号が入力されると（Ｓ３０１：ＹＥＳ）、切換部２から出力された映像信号を記録再生部６へ出力し、記録再生部６に記録開始を指示する。これを受けて、記録再生部６は、制御部３から受け取った映像信号をＭＰＥＧ方式等により所定の映像データに符号化する。そして、符号化された映像データの映像記録部６０１への記録を開始する（Ｓ３０２）。この際、記録再生部６は、映像データを記録可能な映像記録部６０１の空き容量を検出する。そして、空き容量が予め定めた容量より少ない場合、設定記録部６０２に記憶されているレコードのフィールド３０８に、「上書き可」を示す上書き可否データが登録されているプログラムの映像データを特定し、特定した映像データに、新たな映像データを上書きして記録する。
【００３０】
また、記録再生部６は、設定記録部６０２に当該映像信号用の新たなレコードを追加し、該レコードのフィールド３０１にユニークな識別情報を、フィールド３０２に記録開始時刻を、フィールド３０３に記録曜日を、そして、フィールド３０６に、入力信号判別部７１が保持している入力識別データを登録する（Ｓ３０３）。この際、映像信号に付加されている情報から当該映像信号が示すプログラムのタイトルを取得できる場合は、フィールド３０５にこのタイトルも登録するようにしてもよい。なお、タイトルはユーザがタイトル名を操作部５に入力することで、制御部３の制御により記録再生部６が後から登録するようにしてもよい。
【００３１】
次に、制御部３は、操作部５から記録開始指示信号が入力された後に、操作部５から記録終了指示信号が入力されると（Ｓ３０４：ＹＥＳ）、切換部２から出力された映像信号の記録再生部６への出力を停止し、記録再生部６に記録停止を指示する。これを受けて、記録再生部６は、映像データの映像記録部６０１へ記録を終了する（Ｓ３０５）。これと共に、記録再生部６は、設定記録部６０２に登録されている当該映像データのレコードのフィールド３０４に記録時間を登録する（Ｓ３０６）。さらに、記録再生部６は、設定記録部６０２に登録されている当該映像データのレコードのフィールド３０７に「未再生」を示す再生履歴データを、そして、フィールド３０８に「上書き不可」を示す上書き可否データを登録する（Ｓ３０７）。その後、Ｓ３０１に戻る。この処理により、映像記録部６０１に新たに記録されたプログラムの映像データは、全て「未再生」且つ「上書き不可」に設定される。なお、記録再生部６は、「上書き不可」に設定されたプログラムの映像データに対して更新等の上書き処理を行うことができない。
【００３２】
また、制御部３は、操作部５からプログラムの指定を伴う再生開始指示信号が入力されると（Ｓ３０１：ＮＯ、Ｓ３１０：ＹＥＳ）、映像記録部６０１に記録されているプログラムの映像データのうち、当該再生開始指示信号で指定されているプログラムの映像データの再生を、記録再生部６に指示する。また、再生割合判別部７２は、再生時間の計測を開始する（Ｓ３１１）。プログラムの映像データの再生が当該プログラムの途中から行われる場合、当該プログラムの初めから途中までの記録時間を再生時間の初期値に設定して、再生時間の計測を開始する。記録再生部６は、制御部３からプログラムの指定を伴う再生指示を受け付けると、指定されたプログラムの映像データを映像記憶部６０２から読み出し、ＭＰＥＧ方式等により映像信号に復号化することにより、映像データの再生を開始する（Ｓ３１２）。再生された映像信号は、制御部３を介して出力部４からモニタ９００へ出力される。
【００３３】
次に、操作部５から再生開始指示信号が入力されて映像記録部６０１に記録されているプログラムの映像データの再生が開始されてから、操作部５から再生停止指示信号が入力されることなく、当該プログラムの映像データの再生が終了した場合（Ｓ３１３：ＹＥＳ）、つまり、当該プログラムの映像データが最初から最後まで再生された場合、再生割判別部７１は、当該プログラムの映像データが視聴済みであると判定する。制御部３の指示により、記録再生部６は、設定記録部６０２に登録されている当該プログラムの映像データのレコードのフィールド３０７の登録内容を、再生済みを示す再生履歴データに更新する。これと共に、当該プログラムの映像データのレコードのフィールド３０８に登録されている上書き可否データを、「上書き不可」から「上書き可」へ変更する（Ｓ３１４）。その後、処理はＳ３０１ヘ戻る。なお、記録再生部６は、「上書き可」に設定されたプログラムの映像データに対して更新等の上書き処理を行うことができる。
【００３４】
また、操作部５から再生開始指示信号が入力されて映像記録部６０１に記録されているプログラムの映像データの再生が実行されている最中に、操作部５から再生停止指示信号が入力されると（Ｓ３１５：ＹＥＳ）、制御部３は、当該プログラムの映像データの記録再生部６への出力を停止し、記録再生部６に再生を停止させる（Ｓ３１６）。また、再生割合判別部７１は、当該プログラムの映像データの再生が開始されてから停止されるまでの再生時間を、記録再生部６に通知する。これを受けて、記録再生部６は、当該プログラムのレコードのフィールド３０７の登録内容を、通知された再生時間を示す再生履歴データに更新する（Ｓ３１７）。
【００３５】
次に、再生割合判別部７２は、設定記録部６０２に記録されている、再生が終了または停止したプログラムの映像データのレコードのフィールド３０６、３０４、３０７各々の入力識別データ、記録時間、再生履歴データに基づいて、当該プログラムが視聴済であるか否かを判別する（Ｓ３１８）。そして、判別結果に基づき、制御部３の指示により、記録再生部６は、判別結果が視聴済みの場合は、当該プログラムの映像データのレコードのフィールド３０８の登録内容を「上書き可」に更新する。一方、判別結果が視聴済みでない場合は、当該プログラムの映像データのレコードのフィールド３０８の登録内容を「上書き不可」のままとする（Ｓ３１９）。その後、処理はＳ３０１に戻る。
【００３６】
具体的には、入力識別データが受信部２０１から入力された映像信号であることを示しており、記録時間から再生履歴データが示す再生時間を差し引いた時間、つまり未再生時間の記録時間に対する割合が所定値（例えば２０％）未満である場合、当該プログラムの映像データを視聴済であると、制御部３の再生割合判別部７２は判別する。あるいは、再生データが示す再生時間の記録時間に対する割合が所定値（例えば８０％）以上である場合に、当該プログラムの映像データを視聴済であると、再生割合判別部７２は判別する。
【００３７】
一方、入力識別データが外部入力端子２０２から入力された映像信号であることを示している場合、未再生時間の記録時間に対する割合（あるいは再生時間の記録時間に対する割合）にかかわらず当該プログラムの映像データを視聴済でないと、制御部３の再生割合判別部７２は判別する。
【００３８】
一般的に放送されている殆どのプログラムは、１つのプログラム中、プログラムの初めから８０％の時点までが本編であり、残りの２０％の時間は、コマーシャルや次回の予告編である。例えば、６０分のプログラムの場合は、プログラムの初めから約５０分が本編であり、残りの約１０分は、コマーシャルや次回の予告編である。また、３０分のプログラムの場合は、プログラムの初めから約２５分が本編であり、残りの約５分はコマーシャルや次回の予告編である。記録時間が１時間であり、プログラムの初めから５０分経過した時点で当該プログラムの本編が終了し、残りの１０分がプログラムのコマーシャルや次回の予告編である場合、ユーザは、当該プログラムが初めから５０分経過した時点で本編が終了したと認識し、当該プログラムの再生を停止することがある。
【００３９】
この場合、ユーザが当該プログラムを視聴済であると認識していても、映像記録再生装置１が当該プログラムを未だ視聴済でないと判別すると、当該プログラムの映像データが上書きされずにいつもでも残ってしまい、記録媒体６０３の記憶容量を圧迫するという不都合が生じる可能性がある。このため、本実施形態では、このような不都合を回避するため、記録時間に対する未再生時間の割合が所定値未満である場合あるいは記録時間に対する未再生時間の割合が所定値以上である場合、本編は視聴済みであると考え、当該プログラムを視聴済であると判別するようにしている。
【００４０】
一方、映画などのプログラムを記憶する媒体には、プログラムのコマーシャルや次回の予告編などが記録されていなことが殆どである。そこで、本実施形態では、外部入力端子２０２へ入力された映像信号の場合、記録時間に対する未再生時間の割合が所定値（例えば２０％）未満であっても、例えば映画などのクライマックスシーンである後半部分で再生を一時的に停止したものと考えられるので、当該プログラムを視聴済みでないと判別するようにしている。すなわち、外部入力端子２０２から入力された映像信号の記録データを再生する場合、記録されているすべての映像データを再生したときに視聴済であると判別し、未再生時間がある場合には視聴済みでないと判別する。
【００４１】
また、記録開始信号が受信されず（Ｓ３０１：ＮＯ、Ｓ３１０：ＮＯ）、入力信号判別部７１が操作部５から入力切換信号が入力されたと判別したとき（Ｓ３２０：ＹＥＳ）、制御部３は、切換部２が出力する映像信号を切り換える（Ｓ３２１）。また、制御部３は、切換部２が選択している映像信号を表す入力識別データを保持する（Ｓ３２２）。その後、処理はＳ３０１に戻る。
【００４２】
また、制御部３は、操作部５から設定表示信号が入力されると（Ｓ３３０：ＹＥＳ）、記録再生部６に設定記録部６０２に記録されている各プログラムの設定内容を読み出させる。そして、各プログラムの設定内容を出力部８を介してモニタ９００に出力する（Ｓ３３１）。その後、処理はＳ３０１に戻る。
【００４３】
例えば、映像記録部６０１には、プログラムＡ１〜Ａ５およびＢ１の映像データが記録され、設定記録部６０２には、図２に示すような設定内容がプログラム毎に記録されているものとする。また、受信部２０１からの映像データの場合、記録時間に対する未済再生時間の割合が２０％未満の場合に、当該映像データを視聴済みと判断するものとする。
【００４４】
操作部５から設定表示信号が出力されると、出力部８へ接続されたモニタ９００に、設定記録部６０２に登録されている各プログラムの設定内容が表示される。図２に示すように、プログラムＡ１は、入力識別データが受信部２０１から入力された映像信号であることを示し、記録時間が１時間であり、再生履歴データがプログラムの初めから終わりまで全て再生済であることを示している。したがって、「上書き可」であることを示す上書き可否データがモニタ９００に表示される。
【００４５】
また、プログラムＡ２は、入力識別データが受信部２０１から入力された映像信号であることを示し、記録時間が１時間であり、再生履歴データが３０分だけ再生済（未済部分が３０分）であることを示している。記録時間に対する未済再生時間の割合が２０％以上であるので、「上書き不可」であることを示す上書き可否データがモニタ９００に表示される。
【００４６】
また、プログラムＡ３は、入力識別データが受信部２０１から入力された映像信号であることを示し、記録時間が２時間であり、再生履歴データが１時間だけ再生済（未済部分が１時間）であることを示している。記録時間に対する未済再生時間の割合が２０％以上であるので、「上書き不可」であることを示す上書き可否データがモニタ９００に表示される。
【００４７】
また、プログラムＡ４は、入力識別データが受信部２０１から入力された映像信号であることを示し、記録時間が１時間であり、再生履歴データが未再生であることを示している。したがって、「上書き不可」であることを示す上書き可否データがモニタ９００に表示される。
【００４８】
また、プログラムＡ５は、入力識別データが受信部２０１から入力された映像信号であることを示し、記録時間が２時間であり、再生履歴データが１時間５５分だけ再生済み（未再生部分が５分）であることを示している。記録時間に対する未済再生時間の割合が２０％未満であるので、「上書き可」であることを示す上書き可否データがモニタ９００に表示される。
【００４９】
また、プログラムＢ１は、入力識別データが外部入力端子２０２から入力された映像信号であることを示し、記録時間が１時間であり、再生履歴データが５０分だけ再生済み（未再生部分が２０分）であることを示している。外部入力端子２０２から入力された映像信号であるので、「上書き不可」であることを示す上書き可否データがモニタ９００に表示される。
【００５０】
図４Ａ〜図４Ｄは、映像記録部６０１に記録されているプログラムの映像データについて、設定記録部６０２に記録されるプログラムの映像データの設定内容の変遷を説明するための図である。図４Ａは受信部２０１から入力された映像信号の映像データであって記録時間が６０分の映像データ（プログラムＡ）が未再生の状態を示す図、図４ＢはプログラムＡが３０分再生された状態を示す図、図２ＣはプログラムＡが５０分再生された状態を示す図、そして、図２Ｄは外部入力端子２０２から入力された映像信号の映像データ（プログラムＢ）であって記録時間が６０分の映像データが５０分再生された状態を示す図である。
【００５１】
図４Ａに示すように、受信部２０１から入力された映像信号の映像データであって、記録時間が６０分のプログラムＡが未再生の場合、設定記録部６０２に登録されたプログラムＡの映像データのレコードにおいて、フィールド３０４に記録時間が６０分であることを示すデータが記録され、フィールド３０７に未再生を示す再生履歴データが記録され、フィールド３０８に「上書き不可」を示す上書き可否データが記録される。
【００５２】
図４Ｂに示すように、操作部５の操作により、プログラムＡの再生が開始され、再生から３０分の時点で再生が停止されると、フィールド３０７には、プログラムの初めから３０分の時点までが再生されたことを示すデータが記録される。再生割合判定部７２は、プログラムＡの記録時間が６０分であり、制御部３が検出したプログラムＡの未再生時間が３０分であり、したがって、記録時間に対する未再生時間の割合が２０％以上であることから、プログラムＡが視聴済でないと判別する。
【００５３】
図４Ｃに示すように、操作部５の操作により、プログラムＡの再生が開始され、再生から５０分の時点で再生が停止されると、フィールド３０７には、プログラムの初めから５０分の時点までが再生されたことを示すデータが記録される。再生割合判定部７２は、プログラムＡの記録時間が６０分であり、制御部３が検出したプログラムＡの未再生時間が５０分であり、したがって、記録時間に対する未再生時間の割合が２０％未満であることから、プログラムＡが視聴済であると判別する。そして、フィールド３０８の上書き可否データを「上書き不可」から「上書き可」へ変更する。
【００５４】
また、図４Ｄに示すように、外部入力端子２０２から入力された映像信号の映像データであって、記録時間が６０分のプログラムＢが１０分間だけ未再生時間である場合、再生割合判定部７２は、記録時間に対する未再生時間の割合が２０％未満であっても、プログラムＢが視聴済でないと判別し、フィールド３０８の上書き可否データを「上書き不可」のままとする。
【００５５】
以上、本発明の第１実施形態を説明した。本実施形態によれば、映像記録部６０３に記録されている、外部入力端子２０３から入力された映像信号の映像データを全て再生した場合に、当該映像データが示すプログラムが視聴済であると判定し、未再生時間がある場合には視聴済みでないと判定する。例えば、外部入力端子２０２から入力された映像信号の映像データであって、記録時間が６０分のプログラムの映像データを再生する場合、当該プログラムの映像データの再生時間が５０分を経過した時点で再生を停止した場合でも、外部入力端子２０２から入力された映像信号の映像データであるため、当該プログラムを視聴済でないと判定する。そして、視聴済みでないと判定されている間は、当該映像データが上書き不可に設定される。このため、途中で再生を停止させたような場合に、映像データを消去してしまうということがないのいで、ユーザにとって使い勝手がよくなる。
【００５６】
また、本実施形態によれば、映像記録部６０３に記録されている、受信部２０１から入力された映像信号の映像データを再生した場合に、記録時間に対する未再生時間の割合が所定値（例えば２０％）未満であるならば、当該プログラムを視聴済であると判定する。これにより、例えば、初めからの約５０分が本編であり、残り約１０分がコマーシャルや次回の予告編で構成された、６０分のバラエティーのテレビプログラムを再生する場合、ユーザが初めから５０分の時点で再生を停止した場合でも、当該プログラムを視聴済であると判定することがきる。また、初めからの約２５分が本編であり、残りの約５分がコマーシャルや次回の予告編などで構成された、３０分のテレビアニメプログラムを再生する場合、ユーザが初めから２５分の時点で再生を停止した場合でも、当該プログラムを視聴済であると判別することができる。そして、視聴済みと判断された場合、当該映像データが上書き可に設定される。このため、映像記憶部６０１の記憶領域が、不要な映像データで圧迫されるのを防止することができる。
【００５７】
また、本実施形態によれば、映像記録部６０３に記録されている各プログラムに対し、再生済みか否か、あるいは、どこまで再生したかなどの設定内容を設定記録部６０２に記録しておくので、この設定内容をメニュー等の画面により一目で確認できる。
【００５８】
<<第２実施形態>>
次に、本発明の第２実施形態を説明する。
【００５９】
本実施形態は、上記の第１実施形態において、映像記録部６０１に記録された映像データをダビングできるようにしたものである。図５は本発明の第２実施形態が適用された映像記録再生装置の概略ブロック図である。図示するように、本実施形態の映像記録再生装置が、図１に示す第１実施形態の映像記録再生装置と異なる点は、操作部５に代えて操作部５’を設けたこと、設定記録部６０２に代えて設定記録部６０２’が設けられていること、および、ダビング用の記録媒体（図示せず）に映像データを記録するためのダビング用記録部６０５をさらに設けたことである。その他の構成は第１実施形態のものと同様である。
【００６０】
操作部５’は、第１実施形態の操作部５が備える各種操作キーに加えて、ダビング指示キー（図示せず）が設けられている。図６は設定記録部６０２’に記録されている設定内容の一例を示す図である。図示するように、設定記録部６０２’に記録される各プログラムの映像データのレコードには、図２に示す第１実施形態の設定記録部６０２に記録される各プログラムのレコードに対して、他の記録媒体にダビングしたか否かを登録するためのフィールド３０９、および、プログラムの他の記憶媒体へのダビングが指定されているか否かを登録するためのフィールド３１０が追加されている。これらのフィールドは、設定記録部６０２’にレコードが新たに追加された初期状態では、それぞれ、「ダビングなし」、「ダビング指定なし」に設定される。
【００６１】
操作部５’は、ユーザにより、プログラムが指定され、ダビング指示キーが操作されると、プログラムの指定を伴うダビング指示信号を制御部３へ出力する。制御部３は、操作部５’から受け付けたダビング指示信号を記録再生部６に出力する。記録再生部６は、ダビング指示信号で指定されているプログラムの映像データのレコードを設定記録部６０２’から特定し、該レコードのフィールド３１０に登録されているダビング指定データを「ダビング指定なし」から「ダビング指定あり」に変更する。
【００６２】
図７は本発明の第２実施形態が適用された映像記録再生装置１の自動ダビング動作を説明するための図である。なお、その他の動作は第１実施形態と同様である。
【００６３】
制御部３は、予め定められたダビング開始時間（例えばユーザがあまり記録再生装置を利用することがないような深夜の時刻としておくとよい）になると（Ｓ４０１：ＹＥＳ）、設定記録部６０２’から未注目のレコードを１つ抽出し、これを注目レコードとする（Ｓ４０２）。次に、制御部３は、注目レコードのフィールド３１０に登録されているダビング指示データが「ダビング指定あり」であるか否かを判別し、「ダビング指定あり」ならばＳ４０４の処理を行い（Ｓ４０３：ＹＥＳ）、「ダビング指定なし」ならばＳ４０２の処理に戻る（Ｓ４０３：ＮＯ）。
【００６４】
Ｓ４０４において、制御部３は、注目レコードのフィールド３０９に登録されているダビング状態データが「ダビング済み」であるか否かを判別し、「ダビング済み」ならばＳ４０２の処理に戻り（Ｓ４０３：ＹＥＳ）、「ダビングなし」ならばＳ４０２の処理に進む（Ｓ４０３：ＮＯ）。
【００６５】
Ｓ４０５の処理において、制御部３は、ダビング用記録部６０５にダビング用記録媒体がセットされているか否かを判別し、セットされていない場合はＳ４０１の処理に戻る。一方、セットされている場合は、そのダビング用記録媒体が記録可能であるか否かをさらに判別する（Ｓ４０６）。具体的には、制御部３は、ダビング用記録媒体の空き容量を検出し、この空き容量と、注目レコードに対応するプログラムの映像データのデータ量とを比較する。そして、当該データ量分の空き容量がある場合には記録可能であると判断し、当該データ量分の空き容量がない場合や上書き禁止に指定されている場合には記録不可と判断する。記録可能であると判断した場合には（Ｓ４０６：ＹＥＳ）、映像記録部６０１に記録されている、注目レコードに対応するプログラムの映像データを記録媒体記録部６０５にダビングする（Ｓ４０７）。一方、記録不可と判断した場合は（Ｓ４０６：ＮＯ）、Ｓ４０１の処理に戻る。
【００６６】
さて、制御部３は、注目レコードに対応するプログラムの映像データのダビングが終了したならば（Ｓ４０８：ＹＥＳ）、記録再生部６を制御し、設定記録部６０２’の注目レコードのフィールド３０９に登録されているダビング状態データを「ダビングなし」から「ダビング済み」に変更する（Ｓ４０９）。その後、制御部３は、設定記録部６０２’に未注目のレコードがあるならばＳ４０２の処理に戻り（Ｓ４１０：ＹＥＳ）、そうでないならばＳ４０１に戻る（Ｓ４１０：ＮＯ）。
【００６７】
以上により、ダビング指定されているプログラムの映像データを、例えばユーザが映像記録再生装置１を使用していない時間帯に、バックアップ用の記録媒体に自動でバックアップすることができる。
【００６８】
<<第３実施形態>>
次に、本発明の第３実施形態を説明する。
【００６９】
本実施形態は、上記の第１実施形態において、定められた曜日、時間に放映されるコンテンツを毎週記録できるようにしたものである。本実施形態の映像記録再生装置が、図１に示す第１実施形態の映像記録再生装置と異なる点は、操作部５に代えて操作部５”が設けられていること、および、設定記録部６０２に代えて設定記録部６０２”が設けられていることである。その他の構成は第１実施形態と同様である。
【００７０】
操作部５”は、第１実施形態の操作部５が備える各種操作キーに加えて、毎週記録指示キー（不図示）が設けられている。図８は設定記録部６０２”に記録されている設定内容の一例を示す図である。図示するように、設定記録部６０２”に記録される各プログラムの映像データのレコードには、図２に示す第１実施形態の設定記録部６０２に記録される各プログラムのレコードに対して、フィールド３０２〜３０４に登録されている記録開示時間、曜日、記録時間でプログラムの映像データを毎週記録するか否かをを登録するためのフィールド３１１が追加されている。このフィールドは、設定記録部６０２”にレコードが新たに追加された初期状態では、「毎週記録しない」に設定される。
【００７１】
操作部５”は、ユーザにより、プログラムが指定され、毎週記録指示キーが操作されると、プログラムの指定を伴う毎週記録指示信号を制御部３へ出力する。制御部３は、操作部５”から受け付けた毎週記録指示信号を記録再生部６に出力する。記録再生部６は、毎週記録指示信号で指定されているプログラムの映像データのレコードを設定記録部６０２”から特定し、該レコードのフィールド３１１に登録されている毎週記録指示データを「毎週記録しない」から「毎週記録する」に変更する。
【００７２】
図９は本発明の第３実施形態が適用された映像記録再生装置１の毎週記録動作を説明するための図である。なお、その他の動作は第１実施形態と同様である。
【００７３】
制御部３は、設定記録部６０２”に記録されている各プログラムの映像データのレコードを監視し、フィールド３１１に登録されている毎週記録指示データが「毎週記録する」であって、フィールド３０２、３０３に登録されている記録開始時刻および曜日より特定される記録開始タイミングになったレコードを検出すると（Ｓ５０１：ＹＥＳ）、フィールド３０６に登録されている入力識別データに従って切換部２を制御する。そして、切換部２から入力された映像信号を記録再生部６に出力し、記録再生部６に、検出したレコードの指定を伴う毎週記録開始指示を出力する。これを受けて、記録再生部６は、毎週記録再生開始指示で指定されたレコードのフィールド３０８に登録されている上書き可否データに基づき、上書きの可否を判別する（Ｓ５０２）。該上書き可否データが「上書き可」を示しているならば（視聴済み）、Ｓ５０３の処理に進み（Ｓ５０２：ＹＥＳ）、「上書き不可」を示しているならば（未視聴）、Ｓ５０７の処理に進む（Ｓ５０２：ＮＯ）。
【００７４】
Ｓ５０３において、記録再生部６は、制御部３から入力される映像信号をＭＰＥＧ方式等の映像データに符号化し、符号化された映像データを、映像記録部６０１に記録されている、毎週記録再生開始指示で指定されたレコードに対応するプログラムの映像データに上書き記録する（Ｓ５０３）。
【００７５】
制御部３は、記録再生部６に毎週記録再生開始指示を出力してから、検出したレコードのフィールド３０４に登録されている記録時間を経過したならば（Ｓ５０４：ＹＥＳ）、記録再生部６に毎週記録再生終了指示を出力する。また、切換部２から入力された映像信号の記録再生部６への出力を停止する。これを受けて、記録再生部６は、映像データの映像記録部６０１へ記録を終了する（Ｓ５０５）。また、制御部３は、記録再生部６を制御し、設定記録部６０２に登録されている当該映像データのレコードのフィールド３０７に登録されている再生履歴データを「未再生」に変更し、そして、フィールド３０８に登録されている上書き可否データを「上書き不可」に変更する（Ｓ５０６）。
【００７６】
一方、Ｓ５０７では、図３のＳ３０２〜Ｓ３０７と同様の処理を行う。これにより、映像記録部６０１の空き容量にプログラムの映像データが新たに記録され、これに併せて、当該プログラムの映像データのレコードが設定記録部６０２”に新たに登録される。
【００７７】
以上、本発明の実施の形態について説明した。
【００７８】
なお、本発明は上記の各実施形態に限定されるものではなくその要旨の範囲内で数々の変形が可能である。
【００７９】
例えば、上記の各実施形態において、映像記録再生装置１は、記録した映像データが受信部２０１から入力された映像データか、それとも、外部入力端子２０２から入力された映像データかの入力識別データに基づいて、外部入力端子２０２から入力された映像データの場合は初めから最後まで再生しない限り視聴済ではないと判断し、受信部２０１から入力された映像データの場合は未再生時間（または再生時間）の割合が所定値未満（または所定値以上）であるか否かに応じて視聴済であるか否かを自動的に判別する構成とした。しかし、本発明はこれに限定されない。操作部５を操作することによって視聴者が任意にこれらの設定を変更できるようにしてもよい。例えば、操作部５に、映像データを初めから最後まで再生させない限り視聴済でないと判別する入力端子を選定する選定キー、視聴済であると判別する未再生時間の記録時間に対する割合の設定キー等を設け、これらのキーを操作することによって、制御部３が設定を変更するようにしてもよい。
【００８０】
また、上記の各実施形態において、映像記録部６に記録されている映像データを再生している途中で再生が停止した場合に、再生割合判定部７２が、当該再生が停止した時点での記録時間に対する未再生時間（または再生時間）の割合を算出し、今後、当該割合未満（または割合以上）で再生が途中停止した場合に、視聴済であると判別するか否かをユーザに選択させるようにしてもよいい。例えば、操作部５にエンターキーを備え、途中で再生が停止した場合、今後、このときの未再生時間の記録時間に対する割合未満（またはこのときの再生時間の記録時間に対する割合以上）で再生が途中停止した場合は視聴済であると判別してもよいか否かをユーザに質問する画面をモニタ９００へ出力し、エンターキーが入力された場合、今後は、この割合未満（あるいは割合以上）で再生が停止した場合は、再生割合判定部７２が視聴済みである判定するようにしてもよい。
【００８１】
また、上記の各実施形態では、視聴判別部７を制御部３内に設けているが、視聴判別定部７は、制御部３とは別個に設けるようにしてもよい。
【００８２】
また、上記の各実施形態では、入力部２０３に、アンテナ９０１から映像信号を受信する受信部２０１および再生装置９０２から映像信号を受信する外部入力端子２０２を、それぞれ１つ設け、切換部２で、受信部２０１および外部入力端子２０２のいずれか一方を選択するようにしている。しかし、本発明はこれに限定されない。入力部２０３に、受信部２０１および外部入力端子２０２各々を少なくとも１つ設け、切換部２で、入力切替指示信号に従い、これらの中から受信部２０１あるいは外部入力端子２０２を１つ選択するようにしてもよい。図１０は本発明の第１実施形態の変形例を示す図である。この例において、入力部２０３’は、受信部２０１と、それぞれ異なる再生装置９０２、９０２’に接続する２つの外部入力端子２０２、２０２’とを有する。切換部２’は、制御部３を介して操作部５から受信した入力切替信号に従い、受信部２０１から入力される映像信号、外部入力端子２０２から入力される映像信号、および、外部入力端子２０２’から入力される映像信号のいずれか１つを選択し、該選択した映像信号を制御部３に出力する。
【図面の簡単な説明】
【００８３】
【図１】図１は本発明の第１実施形態が適用された映像記録再生装置の概略ブロック図である。
【図２】図２は図１の設定記録部６０２に記録されている設定内容の一例を示す図である。
【図３】図３は本発明の第１実施形態が適用された映像記録再生装置１の動作フローを説明するための図である。
【図４】図４（Ａ）は受信部２０１から入力された映像信号の映像データであって記録時間が６０分の映像データ（プログラムＡ）が未再生の状態を示す図、図４（Ｂ）はプログラムＡが３０分再生された状態を示す図、図４（Ｃ）はプログラムＡが５０分再生された状態を示す図、そして、図４（Ｄ）は外部入力端子２０２から入力された映像信号の映像データ（プログラムＢ）であって記録時間が６０分の映像データが５０分再生された状態を示す図である。
【図５】図５は本発明の第２実施形態が適用された映像記録再生装置の概略ブロック図である。
【図６】図６は設定記録部６０２’に記録されている設定内容の一例を示す図である。
【図７】図７は本発明の第２実施形態が適用された映像記録再生装置１の自動ダビング動作を説明するための図である。
【図８】図８は設定記録部６０２”に記録されている設定内容の一例を示す図である。
【図９】図９は本発明の第３実施形態が適用された映像記録再生装置１の毎週記録動作を説明するための図である。
【図１０】図１０は本発明の第１実施形態の変形例を示す図である。
【符号の説明】
【００８４】
１…映像記録再生装置、２…切換部、３…制御部、５…操作部、６…記録再生部、７…視聴判別部、８…出力部、７１…入力信号判別部、７２…再生割合判別部、２０１…受信部、２０２…外部入力端子、２０３…入力部、６０１…映像記録部、６０２…設定記録部、６０３…記録媒体、６０５…ダビング用記録部、９００…モニタ、９０１…アンテナ、９０２…再生装置
【図１】
2005312006.tif 000003
【図２】
2005312006.tif 000004
【図３】
2005312006.tif 000005
【図４】
2005312006.tif 000006
【図５】
2005312006.tif 000007
【図６】
2005312006.tif 000008
【図７】
2005312006.tif 000009
【図８】
2005312006.tif 000010
【図９】
2005312006.tif 000011
【図１０】
2005312006.tif 000012